(57)【要約】【課題】ペン型入力装置の筆記内容の検出性能を良好に確保しながら、筆記機能具の交換を少ない手間で簡便に行うことができるようにする。【解決手段】ペン型入力装置Ｐの本体ケース１内には、ユニット化された筆記機能具５が、該本体ケース１内に対して着脱可能に装着される。また、本体ケース１内には、筆圧を検知するセンサ１７がオフとなる前方側の待機位置と、センサ１７がオンとなる後方側の作動位置との間にわたって、筆記機能具５を出退移動可能に案内支持するための変位機構が設けられている。【選択図】図１
2005078374.tif 000002
【特許請求の範囲】
【請求項１】
多数個の微小なドットからなる検出用マーカーが印刷されたホワイトボードを筆記対象物として、該ボードの表面に書き込まれた文字、図形等の筆記内容を前記検出用マーカーに基づいて特定し、これを他の電子機器に送り込むことができるペン型入力装置であって、
本体ケース内に、前記ボードに文字等を書き込むための筆記機能具と、該筆記機能具による書き込み操作時に生じる筆圧を検知するセンサと、前記筆記機能具により前記ボードに書かれた筆記内容を前記検出用マーカーに基づいて特定するカメラ部と、該カメラ部で特定された筆記内容を記憶するメモリと、該メモリに記憶されている筆記内容にかかる電子情報を他の電子機器に送り込むための通信部とを内蔵し、前記センサがオンとなったときに筆記内容の特定が行われるようにしてあり、
前記筆記機能具が、外装ケースと、該外装ケース内に装填された筆記用インキと、該外装ケースの前端から突出するペン先部とを含んでユニット部品化されており、
前記筆記機能具が、前記本体ケース内に着脱可能に装着されていることを特徴とするペン型入力装置。
【請求項２】
前記検出用マーカーは、赤外線吸収染顔料を含むインキを用いて印刷されており、
前記筆記用インキに含まれる赤外線吸収染顔料の最大吸収波長と、前記検出用マーカーを形成するインキに含まれる赤外線吸収染顔料の最大吸収波長との差が、８０ｎｍ以上である請求項１記載のペン型入力装置。
【請求項３】
前記本体ケースの内部には、前記筆記機能具および前記センサを収容するハウジングが設けられており、
前記ハウジング内には、前記筆記機能具の前記外装ケースを外嵌保持して、前記ハウジング内で前後動可能に案内支持されるホルダーが組み付けられており、
前記筆記機能具が、前記ホルダーに案内されて前記ハウジング内で前記センサがオフとなる前方側の待機位置と前記センサがオンとなる後方側の作動位置との間にわたって出退移動可能に案内支持され、ばねで待機位置に移動付勢されている請求項１又は２記載のペン型入力装置。
【発明の詳細な説明】
【技術分野】
【０００１】
本発明は、多数個の微少なドットからなる検出用マーカーが印刷されたホワイトボードを筆記対象物として、該ボードの表面に書き込まれた文字、図形等の筆記内容を前記検出用マーカーに基づいて特定し、これを他の電子機器に送り込むことができるペン型入力装置に関する。
【背景技術】
【０００２】
特許文献１には、専用のアタッチメントをＡ４などの用紙に取り付けたうえで、専用ペンで用紙上に文字等を記入すると、ペンが発信する超音波に基づいてアタッチメントがペン位置を計算して用紙上に書かれた文字等を読み取り、読み取られた文字等に係る筆記情報をデジタルデータとしてパソコン等に随時に送信できる情報入力システムが記載されている。但しこのシステムは、リアルタイムでしか手書きした情報をパソコンに出力できない。すなわち、予め専用ペンで用紙上に書いた文字類の筆記情報は、あとからアタッチメントを用紙に取り付けてもパソコンへ出力することができない。
【０００３】
特許文献２には、文字類を書き込むための筆記機能部、赤外線照射能を有するカメラ部、記憶部からなる記憶部、およびＢｌｕｅｔｏｏｔｈトランシーバーまたはＵＳＢポートなどからなる通信部を備えるペン型入力装置と、該ペン型入力装置に筆記内容を入力するためのホワイトボードとからなる情報入力システムが記載されている。ホワイトボードの表面には、多数独立の微小なドットからなる検出用パターンが印刷されている。そして、ペン型入力装置の筆記機能部を使ってボード上に文字や図形などを書き込むと、カメラ部が検出用マーカーに基づいて筆記内容を特定し、これを記憶部内に格納する。記憶部内の筆記情報は、通信部を介してパソコンなどの他の電子機器へ適宜に送り込むことができる。
【０００４】
かかる特許文献２に記載の情報入力システムによれば、ボード等に筆記された情報の全てをペン型入力装置内に記憶させておいてから、一括してパソコンへ情報を送り込むことができるため、パソコン等への出力がリアルタイムに限られず、またパソコン等とペン型入力装置とを常時接続しておく必要がない。
【０００５】
【特許文献１】特表２００２−５０８１０１号公報（図１）
【特許文献２】特表２００３−５０８８３１号公報（図６の符号１０、符号２２）
【発明の開示】
【発明が解決しようとする課題】
【０００６】
特許文献２記載のペン型入力装置では、本体ケース内にカメラ部、記憶部、通信部などが収納されていて、該ケースの側面から突出形成されたホルダーに、筆記機能具であるペンが着脱可能に装着されている。従って、ペンの交換作業を比較的簡単に行うことができ、実用利便性に優れることではある。
【０００７】
しかし、本体ケースの外部にペンが装着される形態では、ペンの取り付け位置が、位置ずれやすく、カメラ部とホワイトボードとの距離にバラツキが生じて、筆記内容を正確に検出できないなどの動作不良を起こすおそれがある。また、筆圧を検知することは予定していないため、ボードとペン先とが近接する位置、つまり両者が非接触の極めて近接する状態で装置を動かした場合に、ペン先の動きが検出用マーカーを介してカメラ部で特定されて、筆記内容であると誤って検出されるおそれもある。さらに、ペンが異常に目立って体裁が悪い。
【０００８】
加えて、ホワイトボードの表面にペンで筆記すると、イレイザーで文字等を消去した際にインキかすが生じることは避けられない。このため、カメラ部がインキかすをドットと誤って判別し、筆記内容を正確に特定できなくなる場合がある。最悪の場合には読み取りエラーを生じるおそれがある。
【０００９】
本発明の目的は、ペン型入力装置の筆記内容の検出性能を良好に確保しながら、筆記機能具の交換を少ない手間で簡便に行うことができ、しかも体裁よく使用できるペン型入力装置を提供することにある。本発明の目的は、カメラ部がインキかすをドットと誤って判別することがなく、従って筆記内容を正確に特定、読み取ることができるペン型入力装置を提供することにある。
【課題を解決するための手段】
【００１０】
本発明は、図４に示すような多数個の微小なドット４１からなる検出用マーカー４０が印刷されたホワイトボードＢを筆記対象物として、該ボードＢの表面に書き込まれた文字、図形等の筆記内容を前記検出用マーカー４０に基づいて特定し、これを他の電子機器に送り込むことができるペン型入力装置Ｐを対象とする。かかるペン型入力装置Ｐは、図１に示すごとく、本体ケース１内に、ボードＢに文字等を書き込むための筆記機能具５と、該筆記機能具５による書き込み操作時に生じる筆圧を検知するセンサ１７と、筆記機能具５によりボードＢに書かれた筆記内容を前記検出用マーカー４０に基づいて特定するカメラ部１４と、該カメラ部１４で特定された筆記内容を記憶するメモリ１９と、該メモリ１９に記憶されている筆記内容にかかる電子情報を他の電子機器に送り込むための通信部２０とを内蔵し、前記センサ１７がオンとなったときに、筆記内容の特定が行われるようにしてある。そして、前記筆記機能具５が、外装ケース２４と、該外装ケース２４内に装填された筆記用インキと、該外装ケース２４の前端から突出するペン先部１０とを含んでユニット部品化されており、前記筆記機能具５が、前記本体ケース１内に着脱可能に装着されていることを特徴とする。
【００１１】
本発明において、筆記対象物である「ホワイトボードＢ」とは、ボード自身の表面に検出用マーカー４０が印刷された形態のみならず、表面に検出用マーカー４０が印刷されたフィルムをも含む概念である。検出用マーカー４０は、多数個独立のドット４１からなるものであり、ボードＢ上の筆記可能な範囲内に分散して配置される。これらドット４１は、予め定めた規則に従って配置されており、この配置関係からボードＢ上での位置（座標）が特定される。つまり、ボードＢ上の位置を示すためのパターンにドット４１は形成される。かかるドットパターンの具体例としては、アノト社の規格による所謂アノト・パターンを挙げることができる。検出用マーカー４０の形成方法としては、例えばオフセット印刷、スクリーン印刷、インクジェット印刷などの各種印刷方法を挙げることができる。なお、図４では、検出用マーカー４０を構成するドット４１はマトリクス状に配置されているが、これはアノト・パターンを模式的に示したものであり、実際のパターン配設はこれとは若干異なる。
【００１２】
赤外線吸収染顔料の具体例としては、シアニン系やフタロシアニン系の染料、顔料などを挙げることができる。この種の染顔料を含むインキは、それを薄めて印刷した場合でも充分な検出Ｓ／Ｎ比が得られるため、ボードＢの製作コストの低減化を図るうえで有利である。これら染顔料は優れた赤外線吸収能を備えるものであるため、ボードＢの表面に多少の汚れが付いた場合でも、ペン型入力装置Ｐによる検出感度を良好に保つことができ、その点でも有利である。
【００１３】
前記検出用マーカー４０は、赤外線吸収染顔料を含むインキを用いて印刷されており、前記筆記用インキに含まれる赤外線吸収染顔料の最大吸収波長と、前記検出用マーカー４０を形成するインキに含まれる赤外線吸収染顔料の最大吸収波長との差が、８０ｎｍ以上であることが望ましい。ここで「赤外線吸収染顔料」とは、赤外線吸収能を備える染料又は顔料を意味する。
【００１４】
具体的には、前記本体ケース１の内部に、前記筆記機能具５および前記センサ１７を収容するハウジング２５を設ける。このハウジング２５内には、筆記機能具５の外装ケース２４を外嵌保持して、ハウジング２５内で前後動可能に案内支持されるホルダー２６を組み付ける。そして、筆記機能具５が、ホルダー２６に案内されてハウジング２５内で前記センサ１７がオフとなる前方側の待機位置と、前記センサ１７がオンとなる後方側の作動位置との間にわたって出退移動可能に案内支持され、ばねで待機位置に移動付勢されているようにすることができる。つまり、本体ケース１内には、センサ１７がオフとなる前方側の待機位置と、センサ１７がオンとなる後方側の作動位置との間にわたって、筆記機能具５を出退移動可能に案内支持するための変位機構が設けられている。
【発明の効果】
【００１５】
本発明に係るペン型入力装置Ｐでは、ユニット化された筆記機能具５が、本体ケース１内に着脱可能に装着される形態を採るので、ペンインキが無くなったときには、筆記機能具５の全体を交換すればよい。したがって、ペン心棒やインクカートリッジを交換する形態に比べて、筆記機能具５の分解や組立作業といった煩わしい作業は不要であり、作業効率良くペンインキの補充・交換作業を行うことができる。また、筆記機能具５を交換する際には、筆記機能具５の外装ケース２４の先端部分を掴んで、使用済みの筆記機能具５を本体ケース１から引き抜き、次いで本体ケース１内に新たな筆記機能具５を押し込めば済む。したがって、筆記機能具５の交換作業を少ない手間で簡便に行うことができる。
【００１６】
そのうえで、筆記機能具５が本体ケース１内に内蔵される形態としてあるので、筆記機能具５が外付けされる形態のように、その取り付け位置がずれして、カメラ部１４とホワイトボードＢとの距離にバラツキが生じて、筆記内容を正確に検出できないなどの動作不良を起こすおそれがない。
【００１７】
また、センサ１７で筆圧を検知し、該センサ１７がオン状態となったときのみに、筆記内容の特定が行われるようにしてあるので、筆記機能具５が着脱可能に装着されるものでありながら、ボードＢと非接触の状態で装置Ｐを動かした際にも、ペン先１０の動きが筆記内容であると、誤って検出されることはなく、筆記内容の検出性能が良好に確保できる。かかる作用効果は、本体ケース１内に、センサ１７がオフとなる前方側の待機位置と、センサ１７がオンとなる後方側の作動位置との間にわたって、筆記機能具５を出退移動可能に案内支持するための変位機構を設けることで確保できる。
【００１８】
また、筆記機能具５が本体ケース１内に内蔵される形態としてあると、筆記機能具５が異常に目立つことがなく、ペン型入力装置Ｐ全体の外観体裁の向上を図ることもできる。
【００１９】
筆記機能具５に装填されるペンインキの染料の最大吸収波長と、検出用マーカー４０を形成するインキに含まれる赤外線吸収染顔料の最大吸収波長とが、少なくとも８０ｎｍ以上の差異があるものとしてあると、カメラ部１４がインキかすをドット４１と判別して、筆記内容を誤って認識したり、読み取りエラーを起こすことを確実に防ぐことができる。
【発明を実施するための最良の形態】
【００２０】
図１ないし図３に本発明に係るペン型入力装置を、図４にペン型入力装置の筆記対象であるホワイトボードを示す。ペン型入力装置Ｐは、プラスチック製の左右一対のケース１ａ・１ｂ（図３参照）を張り合わせてなる横長の有底円筒状の本体ケース１と、本体ケース１の前端に装着されるプラスチック製のキャップ２とを有する。本体ケース１の前端面には、前向きの段付き面３を有する切り欠き４が凹み形成されており、この切り欠き４にキャップ２が着脱可能に装着される。段付き面３は半円状を呈しており、その中央に筆記機能具５であるペンの本体ケース１内への挿入を許す円形の開口６が形成されている。図２に示すごとく、キャップ２は、半円状の前端壁７と、前端壁７の円弧の周縁から後方に向かって垂設された側壁８とを有し、側壁８の後部が、段付き面３の周縁に着脱可能に係合する仕様である。キャップ２の前端壁７の中央には、筆記機能具５のペン先１０の前方向への突出を許す円形の開口１１が形成されている。
【００２１】
図２に示すごとく、本体ケース１の前端面１２には開口１３が形成されており、この開口１３を臨むように、本体ケース１内にはカメラ部１４が収容されている。カメラ部１４は、ホワイトボードＢ（図４参照）に向けて赤外線光を照射するＬＥＤを備える発光部１５と、ボードＢからの反射光を受けるＣＣＤやＣＭＯＳセンサなどの撮像素子１６とを備えており、ボードＢ上に筆記している際に、筆記機能具５のペン先１０の周辺に位置する検出用マーカー４０を検出する。
【００２２】
本体ケース１の後端側には、筆記機能具５による書き込み操作時に生じる筆圧を検知するセンサ１７と、カメラ部１４からの検出データ値に基づいて筆記機能具５による筆跡を判断するプロセッサ１８と、プロセッサ１８により特定された筆跡データなどを記憶するメモリ１９と、外部機器（他の電子機器）と通信する通信部２０と、電源としての電池２１などが収容されている。
【００２３】
通信部２０は、電波や赤外線などで外部機器と通信するものであり、具体的にはＢｌｕｅｔｏｏｔｈトランシーバーである。プロセッサ１８は、カメラ部１４での撮影画面を赤外線の吸収レベルに基づいて二値化する。電池２１は、小型のリチウムイオン電池などが該当する。外部機器は、携帯情報端末（ＰＤＡ）やコンピュータや携帯電話などが該当する。
【００２４】
筆記機能具５は、ペン型の外装ケース２４と、外装ケース２４内に装填された不図示の筆記用インキおよびインク芯棒と、外装ケース２４の前端から突出するペン先部１０とを含んでユニット部品化されており、本体ケース１の段付き面３に形成された開口６を介してケース１内に挿入・装着される。かかる筆記機能具５は、市販のホワイトボード用のフェルトペンを使用することができる。
【００２５】
本体ケース１の内部には、図１において実線で示すセンサ１７がオフとなる前方側の待機位置と、仮想線で示すセンサ１７がオンとなる後方側の作動位置との間にわたって、筆記機能具５を出退移動可能に案内支持するための変位機構が設けられている。この変位機構としては、本体ケース１の内部に形成されたハウジング２５と、筆記機能具５の外装ケース２４を外嵌保持して、ハウジング２５内で前後動可能に案内支持されるホルダー２６と、ホルダー２６を前方向に向かって移動付勢するばね２７とで構成する。
【００２６】
詳しくは、段付き面３の開口６に臨む本体ケース１の内部には、筆記機能具５とセンサ１７とを収容するハウジング２５が、前後方向にわたって長く形成されている。図１および図３に示すごとくハウジング２５は、略四角状の筒壁２８と、筒壁２８の後端に形成された底壁２９とを有して、前面が開口する有底四角筒状を呈している。図３に示すごとく、筒壁２８は、本体ケース１の周壁の一部と、周壁の内面から上方向に突出形成された二つの側壁３０・３０と、これら側壁３０・３０の上端どうしを連結する水平壁３１とで構成される。
【００２７】
筆記機能具５の外装ホルダー２４を外嵌保持するホルダー２６は、前後方向に長い円筒壁３３と、円筒壁３３の後端に形成された底壁３４とを有して、前面が開口する有底円筒状のプラスチック成形品である。
【００２８】
ハウジング２５の奥隅には、ホルダー２６を前方向に移動付勢するためのばね２７と、センサ１７とが組み付けられている。センサ１７は、マイクロスイッチ、リミットスイッチ、電磁式近接スイッチなどであり、ハウジング２５の底壁２９に突設した円筒状のボス３５の内部に、その作用点３６がホルダー２６の底壁３４の外面に臨む姿勢で圧嵌固定されている。ばね２７は、圧縮コイル形のばねであり、ボス３５に外嵌装着されている。
【００２９】
図３に示すごとく、ホルダー２６の案内支持機構として、ホルダー２６の円筒壁３３の左右の二箇所に、前後方向に長い微小ボス３７を外方向に張り出し形成するとともに、ハウジング２５の筒壁２８を構成する側壁３０の対向壁面に、ホルダー２６側の微小ボス３７に対応する微小溝３８を前後方向にわたって長く刻設してある。ハウジング２５の筒壁２８の対向壁面どうしの間隔寸法は、ホルダー２６の円筒壁３３の外径寸法と略同一に設定されており、これでホルダー２６は、前後動移動可能に、且つ上下左右方向には遊動不能に、ハウジング２５内で案内支持される。ホルダー２６の円筒壁３３の外径寸法は、段付き面３の開口６の開口寸法よりも大径に設定されている。したがって、ホルダー２６の前方向の移動限界は、その前端面が段付き面３の内面に当接することで規制される。
【００３０】
かくして、本体ケース１内に装着された筆記機能具５は、ホルダー２６に保持された姿勢で、センサ１７がオフとなる前方側の待機位置と、センサ１７がオンとなる後方側の作動位置との間にわたってハウジング２５内（本体ケース１内）で出退移動可能に案内支持される。筆記機能具５は、常態においては、ばね２７で待機位置に移動付勢される。
【００３１】
図４に示すごとく、ホワイトボードＢの表面には、カメラ部４で検出される検出用マーカー４０が印刷されている。検出用マーカー４０は、独立多数のドット４１からなり、ボードＢの筆記可能な範囲内に分散して配置される。各ドット４１は、所謂アノト・パターンに従って配置されており、これらドット４１の配置関係から、筆記機能具５のペン先１０のボードＢ上での位置（座標）が特定される。つまり、検出用マーカー４０は、ボードＢの位置を示すためのパターンに形成される。なお、各ドット４１の径寸法は８μｍ程度である。
【００３２】
検出用マーカー４０は、赤外線吸収染顔料を含むインキ、すなわち、赤外線吸収能を有する染料及び／又は顔料を含むインキで印刷される。筆記機能具５に装填されるペンインキの染料の最大吸収波長と、検出用マーカー４０を形成するインキに含まれる赤外線吸収染顔料の最大吸収波長とは、少なくとも８０ｎｍ以上の差異があるものとしている。
【００３３】
以上のような構成からなるペン型入力装置Ｐでは、ユニット化された筆記機能具５が、本体ケース１内に着脱可能に装着される形態を採るので、ペンインキが無くなったときには、筆記機能具５の全体を交換すればよい。したがって、ペン心棒やインクカートリッジを交換する形態に比べて、筆記機能具５の分解や組立作業といった煩わしい作業は不要であり、作業効率良くペンインキの補充・交換作業を行うことができる。
【００３４】
筆記機能具５を交換する際には、図１に示すような状態から、キャップ２を本体ケース１から取り外したうえで、段付き面３の開口６から突出する筆記機能具５の外装ケース２４の先端部分を掴んで、使用済みの筆記機能具５をホルダー２６から引き抜き、次いで開口６を介してホルダー２６内に新たな筆記機能具５を押し込めば済む。したがって、筆記機能具５の交換作業を少ない手間で簡便に行うことができる。
【００３５】
ペン先１０がボードＢに当接し、筆記機能具５がホルダー２６ごと退移動して、図１において仮想線で示すごとくセンサ１７がオン状態となったときのみに、筆記内容の特定が行われるようにしてあるので、筆記機能具５が着脱可能に装着されるものでありながら、ボードＢと非接触の状態で装置Ｐを動かした際にも、ペン先１０の動きが筆記内容であると誤って検出されることはなく、筆記内容の検出性能が良好に確保されている。
【００３６】
筆記機能具５が本体ケース１内に内蔵される形態としてあるので、筆記機能具５が外付けされる形態のように、その取り付け位置がずれして、カメラ部１４とホワイトボードＢとの距離にバラツキが生じて、筆記内容を正確に検出できないなどの動作不良を起こすおそれがなく、その点においても筆記内容の検出性能を良好に確保できる。筆記機能具５が異常に目立つことがなく、ペン型入力装置Ｐ全体の外観体裁の向上を図ることもできる。
【００３７】
筆記機能具５に装填されるペンインキの染料の最大吸収波長と、検出用マーカー４０を形成するインキに含まれる赤外線吸収染顔料の最大吸収波長とが、少なくとも８０ｎｍ以上の差異があるものとしてあると、カメラ部１４がインキかすをドット４１と判別して、筆記内容を誤って認識したり、読み取りエラーを起こすことを確実に防ぐことができる。
【実施例】
【００３８】
次に実施例を挙げて本発明をより詳細に説明する。但し、本発明はこれら実施例に限られるものではない。
【００３９】
（実施例１）
（ペン型入力装置Ｐの作製）  外径寸法が２４mm、長さ寸法が１５０mmの円筒状のプラスチック成形品を本体ケース１とした。この本体ケース１内に、１５万画素のＣＭＯＳカメラおよび波長が８５０ｎｍの近赤外線を照射するＬＥＤとからなるカメラ部１４と、３６×３６ピクセルのパターンを解析可能なＣＰＵプロセッサ１８と、１ＭＢのメモリ１９と、トランシーバー２０であるＢｌｕｅｔｏｏｔｈモジュールと、リチウムイオン二次電池２１とを組み込んで、図１に示すようなペン型入力装置Ｐを作製した。筆記機能具５としては、市販のホワイトボード用ペン（ライオン事務器製  ＷＨ−１）を用いた。
【００４０】
（ホワイトボードＢの作製）  山本化成（株）製の近赤外吸収有機顔料ＹＭＲ−５０１０（最大吸収波長は８５０ｎｍ）と印刷用ワニスとを二本ロールで分散し、この顔料を２５重量％含むオフセット用インキを作った。さらに、このインキにＵＶ硬化型の印刷用樹脂（メジウムＳ、Ｔ＆Ｋ  ＴＯＫＡ社製）を加えて、顔料が1.３重量％になるように調整してＵＶ硬化型のインキを作製した。かかるインキをポリ塩化ビニル製の無色透明フィルムにオフセット印刷して、該フィルム上に検出用マーカー４０を作製した。検出用マーカー４０を構成するドット４１の配設パターンは、アノト社指定のものとした。なお、ドット４１の厚みは約１μｍとした。これを縦８０cm×横１３０cmに切り出し、書き込みフィルムとした。
【００４１】
片面に粘着面を有し、赤外線反射金属皮膜と透明ポリエチレンフィルムからなる７００〜１１００ｎｍの範囲で赤外線吸収ピークを持たない赤外線カットフィルム（レイブロック、（有）スピードライン社製）を縦８０cm×横１３０cmに切り出し、前記の書き込みフィルムと張り合わせた。これを壁に貼付し、ペン型入力装置Ｐ用のホワイトボードとした。
【００４２】
（実施例２）
実施例１で用いたホワイトボード用のペンのインキ芯棒を、外装ケース２４から抜き取り、かわりにＡＶＥＣＩＡ社製の近赤外吸収染料８００ＮＰ（最大吸収波長は７３０ｎｍ）をイソプロパノールに分散させ、染料を５０重量％含むペン用インキを充分に浸漬したインキ芯棒を外装ケース２４内に装填して、筆記機能具５であるホワイトボード用のペンを作製した。これ以外は、全て実施例１と同様にしてペン型入力装置Ｐを作製した。
【００４３】
実施例１および実施例２で作製したペン型入力装置Ｐを用いて、ホワイトボードＰ上に文字を記入した。記入した文字情報は、全て外部機器であるパソコンへ、正確に転送することができた。また、筆記機能具５であるペンの交換作業も容易であった。特に、実施例２のペン型入力装置Ｐは、ホワイトボードＢに記入した文字をイレイザーで消去し、再度文字をボードＢに記入する操作を何度繰り返しても、正確に文字情報をパソコンへ転送することができた。これは、筆記用インキに含まれる赤外線吸収染顔料の最大吸収波長と、検出用マーカー４０を形成するインキに含まれる赤外線吸収染顔料の最大吸収波長との差が、８０ｎｍ以上であるため、ペンで記入した文字をイレイザーで消去した際に生じるインキかすを、カメラ部１４がドットと見間違うことがなくなったことによるものと考える。
【図面の簡単な説明】
【００４４】
【図１】ペン型入力装置の概略構成図
【図２】ペン型入力装置の正面図
【図３】ペン型入力装置の要部の縦断正面図
【図４】ホワイトボードの正面図
【符号の説明】
【００４５】
１  本体ケース
５  筆記機能具
１０  ペン先
１４  カメラ部
１７  センサ
１９  メモリ
２０  通信部
２１  電池
２４  筆記機能具の外装ケース
２５  ハウジング
２６  ホルダー
２７  ばね
４０  検出用マーカー
Ｐ  ペン型入力装置
Ｂ  ホワイトボード
【図１】
2005078374.tif 000003
【図２】
2005078374.tif 000004
【図３】
2005078374.tif 000005
【図４】
2005078374.tif 000006